(57)【要約】【課題】フィン幅の寸法を変更することなく、熱交換器の性能を向上することができる熱交換器、ならびにこれを備えた空気調和装置の室内機を提供する。【解決手段】熱交換器３は、フィン４と、伝熱管群５とを備える。フィン４は、略鉛直方向に延設されている。伝熱管群５は、フィン４を貫通している複数の伝熱管５１ａ，５２ａから構成される。伝熱管群５は、上流側伝熱管群５１と、下流側伝熱管群５２とを有する。上流側伝熱管群５１は、フィン４を通過する空気流Ｗｒの上流側に位置する。下流側伝熱管群５２は、フィン４を通過する空気流Ｗｒの下流側に位置する。上流側伝熱管群５１を構成する伝熱管５１ａからフィン４の上流端部４２までの第１距離ｄｉＡは、下流側伝熱管群５２を構成する伝熱管５２ａからフィン４の下流端部４３までの第２距離ｄｉＢよりも大きい。【選択図】図６
2010223558.tif 000002
【特許請求の範囲】
【請求項１】
略鉛直方向に延設されたフィン（４）と、
前記フィン（４）を貫通している複数の伝熱管（５１ａ，５２ａ）から構成される伝熱管群（５１，５２）と、
を備え、
前記伝熱管群（５）は、前記フィン（４）を通過する空気流の上流側に位置する上流側伝熱管群（５１）と、前記フィン（４）を通過する空気流の下流側に位置する下流側伝熱管群（５２）とを有し、
前記上流側伝熱管群（５１）を構成する前記伝熱管（５１ａ）の少なくとも１つから前記フィン（４）の上流端部までの第１距離（ｄｉＡ１，・・・）は、前記下流側伝熱管群（５２）を構成する前記伝熱管（５２ａ）から前記フィン（４）の下流端部までの第２距離（ｄｉＢ１，・・・）よりも大きくなっている、
熱交換器（３）。
【請求項２】
前記下流側伝熱管群（５２）は、直径の異なる複数の前記伝熱管（５２ａ）で構成されており、
前記下流側伝熱管群（５２）の前記伝熱管（５２ａ）は、直径が小さくなるにつれてその中心が前記フィン（４）の下流端部側に寄るように配置されている、
請求項１に記載の熱交換器（３）。
【請求項３】
前記フィン（４）は、通過する空気流の速度が異なる複数のフィン部分（４７，４８）を有しており、
各前記フィン部分（４７，４８）の空気流の速度が小さい前記フィン部分（４７，４８）ほど各前記フィン部分（４７，４８）に位置する前記下流側伝熱管群（５２）における前記第２距離（ｄｉＢ３，ｄｉＢ４）が大きくなるように、前記下流側伝熱管群（５２）の前記伝熱管（５２ａ）が配置されている、
請求項１または２に記載の熱交換器（３）。
【請求項４】
空気との間で熱交換を行う、請求項１〜３のいずれかに記載の熱交換器（３）と、
前記熱交換器（３）により熱交換された空気を室内へと送る空気流を生成するファン（９）と、
を備える、空気調和装置の室内機（１）。
【請求項５】
前記熱交換器（３）の下方に配置され、前記熱交換器（３）において発生したドレン水を受け取ることが可能なドレンパン（８）、
を更に備え、
前記熱交換器（３）は、前記ドレンパン（８）がドレン水を受け取ることが可能な空間範囲内に位置している第１部分（３１ｃ）を有しており、
前記第１部分（３１ｃ）の少なくとも一部における前記第１距離（ｄｉＡ１１）は、前記第１部分（３１ｃ）における前記第２距離（ｄｉＢ１１）よりも大きい、
請求項４に記載の空気調和装置の室内機（１）。
【請求項６】
前記熱交換器（３）は、前記ドレンパン（８）がドレン水を受けることが可能な空間範囲外に位置している第２部分（３１ｄ）を更に有しており、
前記第１部分（３１ｃ）の少なくとも一部における前記第２距離（ｄｉＢ１１）は、前記第２部分（３１ｄ）における前記第２距離（ｄｉＢ１２）よりも小さい、
請求項５に記載の空気調和装置の室内機（１）。
【請求項７】
前記熱交換器（３）は、少なくとも一部が湾曲状に形成されている、
請求項４〜６のいずれかに記載の空気調和装置の室内機（１）。
【請求項８】
前記熱交換器（３）は、前記ファン（９）の付近に配置されており、
前記熱交換器（３）を通過した後前記ファン（９）へ流入する空気流の速度が大きい程前記第２距離（ｄｉＢ３１，ｄｉＢ３２）が小さくなるように、前記下流側伝熱管群（５２）の前記伝熱管（５２ａ）が配置されている、
請求項７に記載の空気調和装置の室内機（１）。
【請求項９】
前記熱交換器（１０３）は、少なくとも２つに分割されており、
分割された前記熱交換器（１０３）の少なくとも１つである第１熱交換器（１３１）の前記下流側伝熱管群（１５２）における前記第２距離（ｄｉＢ１０１）は、分割された他の前記熱交換器（１０３）である第２熱交換器（１３２，１３３）の前記下流側伝熱管群（１５２）における前記第２距離（ｄｉＢ１０２，ｄｉＢ１０３）よりも小さい、
請求項４〜６のいずれかに記載の空気調和装置の室内機（１）。
【請求項１０】
前記第１熱交換器（１３１）は、前記第２熱交換器（１３２，１３３）よりも前記ファン（１０９）の近くに配置されている、
請求項９に記載の空気調和装置の室内機（１）。
【発明の詳細な説明】
【技術分野】
【０００１】
本発明は、熱交換器、ならびにこれを備えた空気調和装置の室内機に関する。
【背景技術】
【０００２】
空気調和装置の室内機は、熱交換器やファン等を備えている。熱交換器は、空気と熱交換を行い、熱交換された後の空気は、ファンによって室内に供給される。
【０００３】
また、熱交換器としては、鉛直方向に延設されたフィンと、当該フィンを貫通する複数の伝熱管で構成される伝熱管群とで構成される、いわゆるフィンアンドチューブ型の熱交換器がよく利用されている。伝熱管群は、フィンを通過する空気流の上流側に位置する上流側伝熱管群と、空気流の下流側に位置する下流側伝熱管群とを有しているが、一般的には、下流側伝熱管群の各伝熱管からフィンの下流端部までの距離は、上流側伝熱管群の各伝熱管からフィンの上流端部までの距離と等しい。
【０００４】
ところで、特許文献１（特開平１１−１３２６８４号公報）には、熱交換器からのドレン水の滴下を防止するべく、フィンの幅を空気流の下流側に長くする技術が開示されている。
【発明の概要】
【発明が解決しようとする課題】
【０００５】
しかしながら、特許文献１に示すように、フィンの幅を空気流の下流側に長くすると、伝熱面積の増加によって熱交換器の性能が向上するものの、熱交換器自体のサイズが大きくなってしまうため、必然的に室内機のサイズも大きくなってしまう。
【０００６】
また、上流側伝熱管群及び下流側伝熱管群の位置を全体的にフィンの上流端部側にシフトさせる手法を用いると、熱交換器における空気流の下流側においては、死水域が一般的な熱交換器よりも生じ易くなってしまう。そのため、熱交換空気の気流がより淀みやすくなり、熱交換器の性能が低下してしまう恐れがある。
【０００７】
そこで、本発明は、フィン幅の寸法を変更することなく、熱交換器の性能を向上することができる熱交換器、ならびにこれを備えた空気調和装置の室内機を提供することを目的とする。
【課題を解決するための手段】
【０００８】
発明１に係る熱交換器は、フィンと、伝熱管群とを備える。フィンは、略鉛直方向に延設されている。伝熱管群は、フィンを貫通している複数の伝熱管から構成される。伝熱管群は、上流側伝熱管群と、下流側伝熱管群とを有する。上流側伝熱管群は、フィンを通過する空気流の上流側に位置する。下流側伝熱管群は、フィンを通過する空気流の下流側に位置する。上流側伝熱管群を構成する伝熱管の少なくとも１つからフィンの上流端部までの第１距離は、下流側伝熱管群を構成する伝熱管からフィンの下流端部までの第２距離よりも大きくなっている。
【０００９】
この熱交換器では、少なくとも一部分において、上流側伝熱管群における伝熱管からフィンの上流端部までの第１距離が、下流側伝熱管群における伝熱管からフィンの下流端部までの第２距離よりも大きくなっている。つまり、この熱交換器では、下流側伝熱管群における伝熱管の少なくとも１つが、フィンの下流端部側寄りとなっている。一般的に、熱交換器の下流側においては死水域が生じやすく、熱交換空気の気流が淀みやすいが、本発明に係る熱交換器によると、フィン面積に占める当該死水域の割合が通常の熱交換器よりも減少する。従って、フィン幅の寸法を変更することなく、熱交換器の性能を向上することができる。
【００１０】
発明２に係る熱交換器は、発明１に係る熱交換器であって、下流側伝熱管群は、直径の異なる複数の伝熱管で構成されている。下流側伝熱管群の各伝熱管は、直径が小さくなるにつれてその中心がフィンの下流端部側に寄るように配置されている。
【００１１】
一般的に、直径が小さい伝熱管と大きい伝熱管とで下流側伝熱管群が構成されていると、これらの伝熱管の中心は、一直線上となるように配置されることが多い。この場合、直径の小さい伝熱管からフィンの下流端部までの第２距離は、直径の大きい伝熱管からフィンの下流端部までの第２距離よりも大きくなってしまい、死水域がより生じてしまう。しかし、この熱交換器によると、下流側伝熱管群における各伝熱管は、直径が小さい程その中心がフィンの下流端部側に寄るように配置されている。従って、フィンに占める死水域の割合を減らすことができ、更に熱交換率を向上させることができる。
【００１２】
発明３に係る熱交換器は、発明１または２に係る熱交換器であって、フィンは、通過する空気流の速度が異なる複数のフィン部分を有している。各フィン部分の空気流の速度が小さいフィン部分ほど各フィン部分に位置する下流側伝熱管群における第２距離が大きくなるように、下流側伝熱管群の各伝熱管が配置されている。
【００１３】
一般的に、死水域は、空気流の速度が早い程大きくなり、フィンへの熱伝達は悪化する。しかし、この熱交換器によると、例えば空気流の速度が“大”“中”“小”であれば、下流側伝熱管群における第２距離が順に“小”“中”“大”となるように、下流側伝熱管群を構成する伝熱管が配置される。つまり、空気流の速度が大きい程、下流側伝熱管群の伝熱管は、よりフィンの下流端部に近づけられる。これにより、空気流の速度が大きくても、フィンへの熱伝達が最適化されるため、熱交換効率が向上する。
【００１４】
発明４に係る空気調和装置の室内機は、熱交換器とファンとを備える。熱交換器は、空気との間で熱交換を行う、発明１〜３のいずれかに係る熱交換器である。ファンは、熱交換器により熱交換された空気を室内へと送る空気流を生成する。
【００１５】
この室内機は、上述した発明１〜３のいずれかに係る熱交換器を備えている。つまり、室内機は、下流側伝熱管群における伝熱管の少なくとも１つがフィンの下流端部側寄りとなっている熱交換器を備えている。従って、室内機は、フィン幅の寸法を変更することなく性能が向上された熱交換器によって、熱交換された後の空気を室内に供給することができる。
【００１６】
発明５に係る空気調和装置の室内機は、発明４に係る空気調和装置の室内機であって、ドレンパンを更に備える。ドレンパンは、熱交換器の下方に配置され、熱交換器において発生したドレン水を受け取ることが可能である。熱交換器は、ドレンパンがドレン水を受け取ることが可能な空間範囲内に位置している第１部分を有している。そして、第１部分の少なくとも一部における第１距離は、第１部分における第２距離よりも大きい。
【００１７】
この室内機によると、ドレンパンがドレン水を受け取ることが可能な空間範囲内に位置している熱交換器の第１部分においては、本発明に係る発明１、つまり上流側伝熱管群における第１距離が下流側伝熱管群における第２距離よりも大きくなるように、伝熱管が配置されている。すると、熱交換器の第１部分においては、下流側伝熱管群における第２距離が上流側伝熱管群における第１距離よりも小さいために、ドレン水が落下し易くなるおそれがあるが、落下したドレン水はドレンパンによって受け止められる。従って、ドレン水に関する問題が生じることなく、熱交換器の性能を向上することができる。
【００１８】
発明６に係る空気調和装置の室内機は、発明５に係る空気調和装置の室内機であって、熱交換器は、ドレンパンがドレン水を受けることが可能な空間範囲外に位置している第２部分を更に有している。そして、第１部分の少なくとも一部における第２距離は、第２部分における第２距離よりも小さい。
【００１９】
この室内機によると、熱交換器のうち、ドレンパンがドレン水を受けることができる空間範囲外である第２部分の第２距離は、第１部分における第２距離よりも大きい。これにより、熱交換器の第２部分においては、第１部分よりもドレン水の滴下がしにくくなっており、また第１部分において滴下されたドレン水は、ドレンパンによって受け止められるようになっている。
【００２０】
発明７に係る空気調和装置の室内機は、発明４〜６のいずれかに係る空気調和装置の室内機であって、熱交換器は、少なくとも一部が湾曲状に形成されている。
【００２１】
この室内機では、例えば全体が湾曲状に形成されている熱交換器においても、上流側伝熱管群における第１距離が下流側伝熱管群における第２距離よりも大きくなるように、各伝熱管を配置することができる。
【００２２】
発明８に係る空気調和装置の室内機は、発明７に係る空気調和装置の室内機であって、熱交換器は、ファンの付近に配置されている。そして、下流側伝熱管群の伝熱管は、熱交換器を通過した後ファンへ流入する空気流の速度が大きい程第２距離が小さくなるように、配置されている。
【００２３】
この室内機によると、湾曲状に形成されている熱交換器は、ファンの付近に配置されているため、ファンからの空気流が通過する。しかし、例えば熱交換器の湾曲度合い等によっては、ファンと熱交換器の端部との距離は均一とはならず、熱交換器には空気流の速度が早い部分や遅い部分が生じてしまう。しかし、この室内機では、空気流の速度が大きい程第２距離が小さくなるように、下流側伝熱管群の伝熱管が配置されているため、湾曲状に形成された熱交換器においても、フィン幅の寸法を変更することなく、熱交換器の性能を向上することができる。
【００２４】
発明９に係る空気調和装置の室内機は、発明４〜６のいずれかに係る空気調和装置の室内機であって、熱交換器は、少なくとも２つに分割されている。分割された熱交換器の少なくとも１つである第１熱交換器の下流側伝熱管群における第２距離は、分割された他の熱交換器である第２熱交換器の下流側伝熱管群における第２距離よりも小さい。
【００２５】
この室内機では、下流側伝熱管群を構成する伝熱管からフィンの下流端部までの第２距離が、分割された熱交換器全てにおいて統一されているのではなく、少なくとも１つの熱交換器においては他の熱交換器よりも小さくなっている。つまり、室内機の内部においても、例えば場所によっては、熱交換空気の気流の淀みやすさが異なったりするため、本発明に係る室内機の熱交換器においては、この淀みやすさ等に応じて第２距離が適宜調整されている。従って、室内機における熱交換器の性能を向上させることができる。
【００２６】
発明１０に係る空気調和装置の室内機は、発明９に係る空気調和装置の室内機であって、第１熱交換器は、第２熱交換器よりもファンの近くに配置されている。
【００２７】
この室内機によると、第１熱交換器は、第２熱交換器よりもファンの近くに配置されているため、第１熱交換器のフィンを通過する空気流の速度は、第２熱交換器のフィンを通過する空気流の速度よりも大きい。しかし、第１熱交換器の第２距離は、第２熱交換器の第２距離よりも小さいため、第１熱交換器におけるフィンへの熱伝達が最適化され、第１熱交換器の熱交換効率は低下せずに済む。
【発明の効果】
【００２８】
発明１に係る熱交換器によると、フィン幅の寸法を変更することなく、熱交換器の性能を向上することができる。
【００２９】
発明２に係る熱交換器によると、フィンに占める死水域の割合を減らすことができ、更に熱交換率を向上させることができる。
【００３０】
発明３に係る熱交換器によると、空気流の速度が大きくても、フィンへの熱伝達が最適化されるため、熱交換効率が向上する。
【００３１】
発明４に係る空気調和装置の室内機は、フィン幅の寸法を変更することなく性能が向上された熱交換器によって、熱交換された後の空気を室内に供給することができる。
【００３２】
発明５に係る空気調和装置の室内機によると、ドレン水に関する問題が生じることなく、熱交換器の性能を向上することができる。
【００３３】
発明６に係る空気調和装置の室内機によると、熱交換器の第２部分においては、第１部分よりもドレン水の滴下がしにくくなっており、また第１部分において滴下されたドレン水は、ドレンパンによって受け止められるようになっている。
【００３４】
発明７に係る空気調和装置の室内機によると、例えば全体が湾曲状に形成されている熱交換器においても、上流側伝熱管群における第１距離が下流側伝熱管群における第２距離よりも大きくなるように、各伝熱管を配置することができる。
【００３５】
発明８に係る空気調和装置の室内機によると、湾曲状に形成された熱交換器においても、フィン幅の寸法を変更することなく、熱交換器の性能を向上することができる。
【００３６】
発明９に係る空気調和装置の室内機によると、室内機における熱交換器の性能を向上させることができる。
【００３７】
発明１０に係る空気調和装置の室内機によると、第１熱交換器におけるフィンへの熱伝達が最適化され、第１熱交換器の熱交換効率は低下せずに済む。
【図面の簡単な説明】
【００３８】
【図１】本実施形態に係る空気調和装置の室内機の外観図。
【図２】本実施形態に係る室内機のＩＩ−ＩＩ断面を、図１の右側から見た場合の図。
【図３】本実施形態に係る熱交換器の概念を説明するための図であって、熱交換器の外観を概略的に示した図。
【図４】図３の熱交換器における第１面４４をＸ方向側から見た場合の図であって、伝熱管の直径が異なっている場合の各伝熱管の配置を説明するための概念図。
【図５】図３の熱交換器における第１面４４をＸ方向側から見た場合の図であって、フィンを通過する空気流の速度が異なっている場合の各伝熱管の配置を説明するための概念図。
【図６】図２に係る前方側熱交換器、後方側熱交換器及びファンの部分を拡大した図であって、本発明が採用された円弧状の熱交換器の具体例を示す図。
【図７】図２に係る前方側熱交換器、後方側熱交換器及びファンの部分を拡大した図であって、本発明が採用された円弧状の熱交換器の具体例を示す図。
【図８】図２に係る前方側熱交換器、後方側熱交換器及びファンの部分を拡大した図であって、本発明が採用された円弧状の熱交換器の具体例を示す図。
【図９】熱交換器及びファンの部分を拡大した図であって、熱交換器として分割型の熱交換器が利用された場合の具体例を示す図。
【図１０】伝熱管が３列に配列されている熱交換器の概略図。
【発明を実施するための形態】
【００３９】
以下、本発明に係る熱交換器及び空気調和装置の室内機について、図面を用いて詳述する。
【００４０】
（１）室内機の構成
図１は、本実施形態に係る空気調和装置の室内機１の外観図である。この室内機１は、室内の壁面等に取り付けられている。室内機１は、室外に設置されている室外機（図示せず）と冷媒配管（図示せず）を介して接続されており、冷房運転や暖房運転等を行うことができる。
【００４１】
このような室内機１は、図１及び図２に示すように、主として、ケーシング２、熱交換器３、ドレンパン８、及びファン９を備えている。
【００４２】
尚、以下の説明においては、「上」、「下」、「右」、「左」、「水平」、「鉛直」等の方向を示す表現を適宜用いているが、これらは室内機１が図１に示すように室内に取り付けられ、通常使用される状態での各方向を表す。
【００４３】
〔ケーシング〕
ケーシング２は、図１に示すように、正面視において水平方向（図１のＷ方向）に長い長方形の形状を有しており、図２に示すように、熱交換器３、ドレンパン８、ファン９等を収容している。ケーシング２には、吹き出し口２１、第１吸い込み口２２及び第２吸い込み口２３が設けられている。
【００４４】
吹き出し口２１は、室内へと吹き出される空気が通る開口であって、ケーシング２の第１面２ａに設けられている。この吹き出し口２１からは、ファン９によって生成された熱交換後の空気流が室内へと吹き出される。ここで、第１面２ａは、ケーシング２の下面の前側部分を構成しており、前端が上方に位置するように傾斜している。そして、吹き出し口２１は、Ｗ方向、即ちケーシング２の長手方向に細長い形状を有しており、吹き出し口２１には水平フラップ２５が設けられている。水平フラップ２５は、吹き出し口２１から吹き出される空気を室内に案内するためのものである（図２の矢印Ａ）。水平フラップ２５は、回動支点Ｐ１を介してケーシング２に回動自在に連結されており、吹き出し口２１を開閉可能となっている。
【００４５】
第１吸い込み口２２は、ケーシング２内へと取り込まれる空気が通る開口であって、図２に示すように、ケーシング２の第２面２ｂに設けられている。ここで、第２面２ｂは、ケーシング２の正面、即ちケーシング２の前面を構成しており、第１面２ａに対して所定角度をなしている。即ち、第１面２ａと第２面２ｂとは、屈曲した状態となっている。
【００４６】
第２吸い込み口２３は、ケーシング２内へと取り込まれる空気が通る開口であって、図１及び図２に示すように、ケーシング２の上面に設けられている。第２吸い込み口２３は、ケーシング２のＷ方向に延びる複数のスリットによって構成されている。
【００４７】
また、ケーシング２の正面には、前面パネル２４が設けられている。前面パネル２４は、第１吸い込み口２２を覆っており、前面パネル２４に設けられた多数のスリットを通して室内空気を吸い込むようになっている。そして、ケーシング２には、図１に示すように、受信部２６ａやＬＥＤ２６ｂ等が設けられている。受信部２６ａは、リモートコントローラ（図示せず）から送信される各種運転指示を受信可能なように設けられている。ＬＥＤ２６ｂは、室内機１の運転状態に応じて点灯や点滅を行うことにより、室内機１が現在行っている運転状態を、室内機１の設置されている室内の利用者に知らせることができる。
【００４８】
〔熱交換器及びドレンパン〕
熱交換器３は、ケーシング２の内部であってかつファン９の付近に配置されており、各吸い込み口２２，２３から吸い込まれてきた空気と熱交換を行う。本実施形態に係る熱交換器３は、前方側熱交換器３１と、後方側熱交換器３２とで構成されている。前方側熱交換器３１は、図２に示すように、各吸い込み口２２，２３に沿うようにして湾曲状に形成されている。より具体的には、前方側熱交換器３１は、略円弧状の形状を有しており、第２吸い込み口２３付近から第１吸い込み口２２付近にかけて上下方向に延びている。後方側熱交換器３２は、ファン９の上方かつ第２吸い込み口２３付近から、ケーシング２の後方側にかけて位置している。前方側熱交換器３１は、後方側熱交換器３２よりもサイズが大きいものとなっている。このような熱交換器３は、フィン４（後述）及び伝熱管群５（後述）を有する、いわゆるフィンアンドチューブ型の熱交換器である。
【００４９】
特に、本実施形態に係る熱交換器３は、伝熱管群５を構成する伝熱管５１ａ，５２ａの配置に特徴を有しているが、その詳細については「（２）熱交換器の構造」にて詳述する。
【００５０】
ドレンパン８は、熱交換器３の下方に配置されている。ドレンパン８は、熱交換器３において発生し下方に滴下するドレン水のうち、少なくとも一部を受け取ることが可能となっている。
【００５１】
〔ファン〕
ファン９は、主として、熱交換器３を構成する前方側熱交換器３１及び後方側熱交換器３２と、ケーシング２の一部とによって、取り囲まれるようにしてケーシング２の内部に設けられている。ファン９は、熱交換器３によって熱交換された後の空気を、吹き出し口２１を介して室内へと送る空気流を生成する。このようなファン９は、例えばシロッコファンであって、図示しないファンモータによって回転駆動される。
【００５２】
（２）熱交換器の構造
次に、本実施形態に係る熱交換器３の具体的な構成について、図３〜図５を用いて説明する。熱交換器３は、既に述べたように、フィン４と伝熱管群５とを有する。尚、図３〜図５は、本実施形態に係る熱交換器３の概念を説明するにあたり、理解を容易にするべく、ほぼ垂直に延びる形状の熱交換器３を図示した概略図となっている。従って、熱交換器３の形状は、図３〜図５に示す形状に限定されるものではない。
【００５３】
図３に示すように、フィン４は、略鉛直方向であるＺ方向に延設され、薄いアルミニウム製の平板４１がＸ方向に複数枚重ねられることによって構成されている。このフィン４には、Ｙ方向に空気が通過するようになっている（図３の矢印Ｗｒ）。尚、本実施形態に係るフィン４の幅（具体的には、図３に係るＹ方向の幅）は、従来の熱交換器に係るフィンの同様の幅である。
【００５４】
伝熱管群５は、複数の伝熱管５１ａ，５２ａによって構成されている。各伝熱管５１ａ，５２ａは、図３に示すように、フィン４の貫通孔４ａに挿入されることで、フィン４を貫通するようにして配置される。よって、各伝熱管５１ａ，５２ａの外径は、フィン４に形成された貫通孔４ａとほぼ同じ大きさとなっている。そして、各伝熱管５１ａ，５２ａの両端部は、それぞれフィン４のＸ方向両端部分においてフィン４から突出するように設けられている。このように、突出している伝熱管５１ａ，５２ａの両端部には、Ｕ型等の配管（図示せず）が外側から取り付けられることで、冷媒のパスが形成されている。
【００５５】
上述した伝熱管群５は、上流側伝熱管群５１と下流側伝熱管群５２とを有する。上流側伝熱管群５１は、フィン４を通過する空気流Ｗｒの上流側に位置する複数の伝熱管５１ａによって構成されている。下流側伝熱管群５２は、フィン４を通過する空気流Ｗｒの下流側に位置する複数の伝熱管５２ａによって構成されている。
【００５６】
特に、本実施形態では、図４及び図５に示すように、上流側伝熱管群５１を構成する伝熱管５１ａの少なくとも１つからフィン４の上流端部４２までの第１距離ｄｉＡ１，ｄｉＡ２，ｄｉＡ３，ｄｉＡ４は、下流側伝熱管群５２を構成する伝熱管５２ａからフィンの下流端部４３までの第２距離ｄｉＢ１，ｄｉＢ２，ｄｉＢ３，ｄｉＢ４よりも大きくなっている（ｄｉＡ１，ｄｉＡ２，ｄｉＡ３，ｄｉＡ４＞ｄｉＢ１，ｄｉＢ２，ｄｉＢ３，ｄｉＢ４）。即ち、本実施形態に係る熱交換器３では、下流側伝熱管群５２における伝熱管５２ａのうち少なくとも１つが、フィン４の下流端部４３側寄りとなっている。ここで、第１距離ｄｉＡ１，ｄｉＡ２，ｄｉＡ３，ｄｉＡ４は、伝熱管５１ａの外周のうち最もフィン４の上流端部４２に近い部分からフィン４の上流端部４２までの最短距離であって、第２距離ｄｉＢ１，ｄｉＢ２，ｄｉＢ３，ｄｉＢ４は、伝熱管５２ａの外周のうち最もフィン４の下流端部４３に近い部分からフィン４の下流端部４３までの最短距離である。
【００５７】
このように、下流側伝熱管群５２における伝熱管５２ａのうち少なくとも１つがフィン４の下流端部４３側寄りとなることによって、熱交換器３の空気流Ｗｒ（Ｗｒ１，Ｗｒ２）の下流側において死水域が生じたとしても、フィン４の第１面４４の面積に占める当該死水域の割合は、伝熱管５２ａをフィン４の下流端部４３寄りに位置させていない従来の熱交換器に比して減少する。従って、フィン４の寸法を変更することなく、熱交換器３の性能を向上することができる。ここで、フィン４の第１面４４とは、図３においてフィン４の左側の面を言う。
【００５８】
尚、上流側伝熱管群５１における伝熱管５１ａについては、従来の熱交換器と同様の位置であってもよく、または下流側伝熱管群５２における伝熱管５２ａと同様、従来の熱交換器に比してフィン４の下流端部４３寄りに位置していてもよい。上流側伝熱管群５１における伝熱管５１ａが従来よりもフィン４の下流端部４３寄りに配置される場合には、全ての伝熱管５１ａ，５２ａが全体的にフィン４の下流端部４３側にシフトして配置される。
【００５９】
ここで、本実施形態に係る熱交換器３においては、伝熱管５１ａ，５２ａが、上述した条件“ｄｉＡ１，ｄｉＡ２，ｄｉＡ３，ｄｉＡ４＞ｄｉＢ１，ｄｉＢ２，ｄｉＢ３，ｄｉＢ４”を満たすように配置されると説明したが、場合によっては、異なる直径の伝熱管５１ａ，５２ａが利用されたり、熱交換器３とファン９との位置関係によっては熱交換器３を通過する空気流Ｗｒ（Ｗｒ１，Ｗｒ２）の速度が異なったりする場合が生じる。そこで、本実施形態では、このような場合においても熱交換器３の性能を向上させるべく、上記各場合に応じて下流側伝熱管群５２の伝熱管５２ａの配置を変化させている。以下では、伝熱管５１ａ，５２ａの直径が異なる場合、及び空気流Ｗｒの速度が異なる場合それぞれについての、伝熱管５２ａの詳細な配置の仕方について説明する。
【００６０】
（２−１）伝熱管５１ａ，５２ａの直径が異なる場合
下流側伝熱管群５２が、直径の異なる複数の伝熱管５２ａで構成されている場合について説明する。ここでは、図４に示すように、上流側伝熱管群５１における複数の伝熱管５１ａ及び下流側伝熱管群５２における複数の伝熱管５２ａが、共に２種類の直径を有している場合を例に採る。具体的に、図４のフィン４の約上半分の部分４５には、直径の大きい伝熱管５１ａａ，５２ａａが位置しており、フィン４の約下半分の部分４６には、直径の小さい伝熱管５１ａｂ，５２ａｂが位置している。
【００６１】
この場合、下流側伝熱管群５２の各伝熱管５２ａは、直径が小さくなるにつれてその中心がフィン４の下流端部４３側に寄るように配置されている。具体的には、フィン４の約下半分の部分４６における下流側伝熱管群５２は、約上半分の部分４５における下流側伝熱管群５２の伝熱管５２ａａに比して直径の小さい複数の伝熱管５２ａｂで構成されているが、これらの伝熱管５２ａｂは、フィン４の約上半分の部分４５における下流側伝熱管群５２の伝熱管５２ａａよりも中心がフィン４の下流端部４３側となっている。
【００６２】
ここで、図４においては、一例として、伝熱管５２ａｂにおける第２距離ｄｉＢ２が伝熱管５２ａａにおける第２距離ｄｉＢ１と等しくなる程度に（ｄｉＢ１＝ｄｉＢ２）、フィン４の約下半分の部分４６における伝熱管５２ａｂの中心がフィン４の下流端部４３側に寄っている場合を示している。つまり、フィン４全体としての下流側伝熱管群５２における伝熱管５２ａの中心は、一直線上とはなっていないが、フィン４全体としては、第２距離ｄｉＢ１，ｄｉＢ２が等しくなっている。
【００６３】
このように、下流側伝熱管群５２の各伝熱管５２ａが、直径が小さくなるにつれてその中心がフィン４の下流端部４３側に寄るように配置されていることにより、直径の小さい伝熱管における第２距離が大きくなってしまい死水域がより生じてしまうことを防ぐことができる。
【００６４】
尚、図４では、各フィン４の各部分４５，４６を通過する空気流Ｗｒが、均一である場合を示している。また、一例として、図４では、フィン部分４６における上流側伝熱管群５１の伝熱管５１ａｂは、フィン部分４５における上流側伝熱管群５１の伝熱管５１ａａよりもフィン４の下流端部４３側に寄っており、伝熱管５１ａａ及び伝熱管５１ａｂの中心は一直線上とはなっていない場合を示している。つまり、図４においては、フィン部分４６における伝熱管５１ａｂ，５２ａｂが、全体的にフィン４の下流端部４３側にシフトするようにして配置されている。従って、フィン部分４６における第１距離ｄｉＡ２は、フィン部分４５における第１距離ｄｉＡ１よりも大きくなっている（ｄｉＡ１＞ｄｉＡ２）。
【００６５】
（２−２）空気流Ｗｒの速度が異なる場合
熱交換器３を通過する空気流Ｗｒの速度が異なる場合について説明する。ここでは、図５に示すように、フィン４は、通過する空気流Ｗｒ１，Ｗｒ２の速度が互いに異なる２つのフィン部分４７，４８を有しているとする。具体的に、図５のフィン４の約上半分の部分４７には、速度の大きい空気流Ｗｒ１が通過し、フィン４の約下半分の部分４８には、速度の小さい空気流Ｗｒ２が通過する。尚、図５では、空気流Ｗｒ１，Ｗｒ２を示す矢印の大きさは、各空気流Ｗｒ１，Ｗｒ２の速度の大きさを表している。
【００６６】
この場合、各フィン部分４７，４８を通過する空気流Ｗｒ１，Ｗｒ２の速度が小さいフィン部分４７，４８ほどフィン部分４７，４８に位置する下流側伝熱管群５２における第２距離ｄｉＢ３，ｄｉＢ４が大きくなるように、下流側伝熱管群５２の各伝熱管５２ａが配置されている。具体的には、フィン部分４８の空気流Ｗｒ２は、フィン部分４７の空気流Ｗｒ１よりも小さいことから、フィン部分４８に位置する下流側伝熱管群５２における第２距離ｄｉＢ４は、フィン部分４７に位置する下流側伝熱管群５２における第２距離ｄｉＢ３よりも大きくなっている（ｄｉＢ４＞ｄｉＢ３）。即ち、フィン部分４７に位置する下流側伝熱管群５２における伝熱管５２ａは、フィン部分４８に位置する下流側伝熱管群５２における伝熱管５２ａよりもフィン４の下流端部４３側に寄っている。
【００６７】
このように、空気流Ｗｒ１，Ｗｒ２の速度が大きい程、下流側伝熱管群５２の各伝熱管５２ａがフィン４の下流端部４３へ近づけられることにより、空気流Ｗｒ１の速度が大きい程大きくなる死水域による熱交換効率の低下を軽減させることができる。
【００６８】
尚、図５では、各フィン部分４７，４８に位置する伝熱管５１ａ，５２ａは、全て直径が均一である場合を示している。また、一例として、フィン部分４７に位置する上流側伝熱管群５１における第１距離ｄｉＡ３は、フィン部分４８に位置する上流側伝熱管群５１における第１距離ｄｉＡ４と等しくなっている（ｄｉＡ３＝ｄｉＡ４）。
【００６９】
（３）熱交換器の具体例
次に、上述した熱交換器の具体例について説明する。
【００７０】
（３−１）具体例１
図６は、図２に係る前方側熱交換器３１、後方側熱交換器３２及びファン９の部分を拡大した図であって、本実施形態に係る熱交換器３の一例を示す。
【００７１】
既に述べたように、ファン９を取り囲むようにして前方側熱交換器３１及び後方側熱交換器３２からなる熱交換器３が配置されており、特に前方側熱交換器３１は、湾曲状に形成されている。前方側熱交換器３１及び後方側熱交換器３２それぞれには、外側からファン９に向かう方向に、空気が通過する（図６の空気流Ｗｒ１１，Ｗｒ１２，Ｗｒ１３）。つまり、各吸い込み口２２，２３からケーシング２内に吸い込まれてきた空気は、前方側熱交換器３１及び後方側熱交換器３２を通過した後、ファン９へ流入していく。特に、前方側熱交換器３１の約下半分の部分３１ｂは、約上半分の部分３１ａや後方側熱交換器３２よりもファン９との距離が近くなっているため、前方側熱交換器３１の約下半分の部分３１ｂを通過する空気流Ｗｒ１１は、約上半分の部分３１ａや後方側熱交換器３２を通過する空気流Ｗｒ１２，Ｗｒ１３よりも速度が大きい。逆に、前方側熱交換器３１の約上半分の部分３１ａや後方側熱交換器３２は、前方側熱交換器３１の約下半分の部分３１ｂに比してファン９に遠い箇所に配置されていることから、空気流Ｗｒ１２，Ｗｒ１３の速度は小さくなっている。ここで、前方側熱交換器３１の約上半分の部分３１ａ及び後方側熱交換器３２それぞれを通過する空気流Ｗｒ１２，Ｗｒ１３は、いずれも同じ速度であるとする。
【００７２】
尚、図６では、前方側熱交換器３１及び後方側熱交換器３２それぞれにおける各伝熱管５１ａ，５２ａは、直径が均一であるとする。
【００７３】
また、既に述べたように、前方側熱交換器３１の下方には、ドレンパン８が配置されている。図６においては、ドレンパン８は、主として、前方側熱交換器３１のうち、点線で示した空間範囲Ｓｑ１内における前方側熱交換器３１にて発生したドレン水を受け取ることが可能となっている。以下では、前方側熱交換器３１のうち、当該空間範囲Ｓｑ１内に位置している熱交換器３１の部分を「第１部分３１ｃ」と言い、当該空間範囲Ｓｑ１外に位置している熱交換器３１の部分を「第２部分３１ｄ」と言う。
【００７４】
このような前方側熱交換器３１の第１部分３１ｃにおいては、空間範囲Ｓｑ１の領域付近に位置する伝熱管５１ａ，５２ａを除いては、上流側伝熱管群５１における第１距離ｄｉＡ１１が下流側伝熱管群５２における第２距離ｄｉＢ１１よりも大きくなるように（ｄｉＡ１１＞ｄｉＢ１１）、伝熱管５１ａ，５２ａが配置されている。そして、第１部分３１ｃ及び第２部分３１ｄにおける各第２距離ｄｉＢ１１，１２を比較すると、第１部分３１ｃの第２距離ｄｉＢ１１は、第２部分３１ｄの第２距離ｄｉＢ１２よりも小さくなるように（ｄｉＢ１１＜ｄｉＢ１２）、伝熱管５２ａが配置されている。つまり、第１部分３１ｃの下流側伝熱管群５２における伝熱管５２ａは、その中心が第２部分３１ｄの下流側伝熱管群５２における伝熱管５２ａよりもフィン４の下流端部４３側に寄っている。
【００７５】
また、後方側熱交換器３２においては、上流側伝熱管群５１における第１距離ｄｉＡ１３が下流側伝熱管群５２における第２距離ｄｉＢ１３よりも大きくなるように（ｄｉＡ１３＞ｄｉＢ１３）、伝熱管５１ａ，５２ａが配置されている。
【００７６】
つまり、図６の熱交換器３では、空気流Ｗｒ１１，Ｗｒ１２，Ｗｒ１３の速度に関係なく、第２距離ｄｉＢ１１，ｄｉＢ１２，ｄｉＢ１３が上記条件を満たすように下流側伝熱管群５２の伝熱管５２ａが配置されている。
【００７７】
このような構成を有する熱交換器３によると、前方側熱交換器３１の第１部分３１ｃにおいては、下流側伝熱管群５２における第２距離ｄｉＢ１１が上流側伝熱管群５１における第１距離ｄｉＡ１１よりも小さいために、ドレン水が落下し易くなるおそれがあるが、落下したドレン水はドレンパン８によって受け止められる。また、前方側熱交換器３１のうち、ドレンパン８の空間範囲Ｓｑ１外である第２部分３１ｄの第２距離ｄｉＢ１２は、第１部分３１ｃにおける第２距離ｄｉＢ１１よりも大きいため、前方側熱交換器３１の第２部分３１ｄにおいては、第１部分３１ｃよりもドレン水の滴下がしにくくなっている。
【００７８】
（３−２）具体例２
図７は、図２に係る前方側熱交換器３１、後方側熱交換器３２及びファン９の部分を拡大した図であって、本実施形態に係る熱交換器３の一例を示す。図７では、図６とは異なり、空気流Ｗｒ２１〜２５の速度に基づいて、第２距離ｄｉＢ２１〜ｄｉＢ２５が異なっている場合を示している。
【００７９】
図６と同様、ファン９を取り囲むようにして前方側熱交換器３１及び後方側熱交換器３２からなる熱交換器３が配置されており、前方側熱交換器３１は、湾曲状に形成されている。前方側熱交換器３１及び後方側熱交換器３２それぞれには、外側からファン９に向かう方向に空気が通過するが（図７の空気流Ｗｒ２１〜Ｗｒ２５）、この空気流Ｗｒ２１〜Ｗｒ２５は、熱交換器３とファン９との距離が近い程速度が大きく、逆に距離が遠い程速度が小さくなる。最もファン９との距離が近い前方側熱交換器３１の約下半分の部分３１ｂにおいては、他の部分３１ａ，３２を通過する空気流Ｗｒ２２〜Ｗｒ２５よりも空気流Ｗｒ２１の速度が大きくなっている。すると、図７においては、各空気流Ｗｒ２１〜Ｗｒ２５の速度の大きさは、“Ｗｒ２１＞Ｗｒ２２＞Ｗｒ２３”“Ｗｒ２５＞Ｗｒ２４”の関係が成り立っている。
【００８０】
尚、図７では、図６と同様、前方側熱交換器３１及び後方側熱交換器３２それぞれにおける各伝熱管５１ａ，５２ａは、直径が均一である場合を示している。
【００８１】
図７に係る前方側熱交換器３１及び後方側熱交換器３２においては、ドレンパン８がドレン水を受け取ることが可能な空間範囲に関係なく、空気流Ｗｒ２１〜Ｗｒ２５に基づいて下流側伝熱管群５２の各伝熱管５２ａが配置されている。各伝熱管５２ａは、空気流Ｗｒ２１〜Ｗｒ２５の速度が大きい程下流側伝熱管群５２における第２距離ｄｉＢ２１〜ｄｉＢ２５が小さくなるように、配置されている。具体的には、図７では、各空気流Ｗｒ２１〜Ｗｒ２５の速度について“Ｗｒ２１＞Ｗｒ２２＞Ｗｒ２３”“Ｗｒ２５＞Ｗｒ２４”の関係が成り立っていることから、第２距離ｄｉＢ２１〜２５の関係として“ｄｉＢ２１＜ｄｉＢ２２＜ｄｉＢ２３”“ｄｉＢ２５＜ｄｉＢ２４”が成り立つように、各伝熱管５２ａが配置されている。例えば、前方側熱交換器３１においては、最もファン９との距離が近い部分３１ｂの下流側伝熱管群５２の伝熱管５２ａが、最もフィン４の下流端部４３側に寄っており、上部に位置する下流側伝熱管群５２の伝熱管５２ａほど、フィン４の下流端部４３側から離れるようにして配置されている。また、後方側熱交換器３２においても、下部に位置する下流側伝熱管群５２の伝熱管５２ａほど、フィン４の下流端部４３側に寄るようにして配置されている。
【００８２】
このような下流側伝熱管群５２の伝熱管５２ａは、第２距離ｄｉＢ２１〜ｄｉＢ２５が上記関係となるようにして配置されているだけではなく、更に各第２距離ｄｉＢ２１〜ｄｉＢ２５が上流側伝熱管群５１の各第１距離ｄｉＡ２１〜ｄｉＡ２５よりも小さくなるようにして、配置されている（ｄｉＡ２１＞ｄｉＢ２１，ｄｉＡ２２＞ｄｉＢ２２，ｄｉＡ２３≧ｄｉＢ２３，ｄｉＡ２４≧ｄｉＢ２４，ｄｉＡ２５＞ｄｉＢ２５）。
【００８３】
尚、図７に示されるように、前方側熱交換器３１の上部分及び後方側熱交換器３２の上部分は、ファン９の上方において共に傾斜するようにして配置されているため、ドレン水の滴下が起きやすいとも考えられる。しかし、図７では、前方側熱交換器３１の上部分及び後方側熱交換器３２の上部分の各第２距離ｄｉＢ２３，ｄｉＢ２４は、それよりも下部分の第２距離ｄｉＢ２１，ｄｉＢ２２，ｄｉＢ２５よりも大きいため、前方側熱交換器３１の上部分及び後方側熱交換器３２の上部分におけるドレン水の滴下は比較的起きにくい構造となっていると言える。
【００８４】
（３−３）具体例３
図８は、図２に係る前方側熱交換器３１、後方側熱交換器３２及びファン９の部分を拡大した図であって、本実施形態に係る熱交換器３の一例を示す。図８では、図６及び図７とは異なり、下流側伝熱管群５２の伝熱管５２ａの直径が均一となっていない。具体的には、前方側熱交換器３１の上部分に位置する下流側伝熱管群５２の伝熱管５２ａは、前方側熱交換器３１の他の部分に位置する伝熱管５１ａ，５２ａよりも直径が小さい。この場合、直径の小さい下流側伝熱管群５２の各伝熱管５２ａは、他の伝熱管５２ａに比してその中心がフィン４の下流端部４３側に寄るように配置されている。具体的には、直径の小さい伝熱管５２ａは、その第２距離ｄｉＢ３２が、ファン９に近い前方側熱交換器３１の部分３１ｂにおける第２距離ｄｉＢ３１と略同一となるまで、中心がフィン４の下流端部４３側に寄るようにして配置されている。
【００８５】
また、図８の後方側熱交換器３２は、下流側伝熱管群５２の各伝熱管５２ａの直径を除き、図６の後方側熱交換器３２と同様となっている。ここでは、後方側熱交換器３２の伝熱管５２ａは、図６の後方側熱交換器３２の伝熱管５２ａよりも直径が小さい。この場合において、図８の後方側熱交換器３２の下流側伝熱管群５２の伝熱管５２ａは、図６の熱交換器５２ａに比して、その中心がフィン４の下流端部４３側に寄るように配置されている。
【００８６】
尚、図８の前方側熱交換器３１及び後方側熱交換器３２においては、上流側伝熱管群５１における第１距離ｄｉＡ３１，ｄｉＡ３２，ｄｉＡ３３それぞれが、下流側伝熱管群５２における各第２距離ｄｉＢ３１，ｄｉＢ３２，ｄｉＢ３３よりも大きくなるように（ｄｉＡ３１＞ｄｉＢ３１，ｄｉＡ３２＞ｄｉＢ３２、ｄｉＡ３３＞ｄｉＢ３３）、伝熱管５１ａ，５２ａそれぞれが配置されているとする。
【００８７】
また、図８では、図６や図７と同様に、空気流Ｗｒ３１，Ｗｒ３２，Ｗｒ３３は、前方側熱交換器３１及び後方側熱交換器３２のどの位置を通過するかによって速度が異なっているが、ここでは、空気流Ｗｒ３１，Ｗｒ３２，Ｗｒ３３の速度に関係なく、下流側伝熱管群５２の伝熱管５２ａの直径のみによって、各伝熱管５２ａの配置される位置が異なる場合について表している。
【００８８】
（４）効果
（Ａ）
本実施形態に係る熱交換器３では、少なくとも一部分において、上流側伝熱管群５１における伝熱管５１ａからフィン４の上流端部４２までの第１距離ｄｉＡ１，ｄｉＡ２，・・・が、下流側伝熱管群５２における伝熱管５２ａからフィン４の下流端部４３までの第２距離ｄｉＢ１，ｄｉＢ２，・・・よりも大きくなっている。つまり、この熱交換器３では、少なくとも下流側伝熱管群５２における伝熱管５２ａが、フィン４の下流端部４３側寄りとなっている。一般的に、熱交換器３の下流側においては死水域が生じやすく、熱交換空気の気流が淀みやすいが、本実施形態に係る熱交換器３によると、フィン４の第１面４４の面積に占める当該死水域の割合が通常の熱交換器よりも減少する。従って、フィン幅の寸法を変更することなく、熱交換器３の性能を向上することができる。
【００８９】
（Ｂ）
一般的に、直径が小さい伝熱管と大きい伝熱管とで下流側伝熱管群が構成されていると、これらの伝熱管の中心は、一直線上となるように配置されることが多い。この場合、直径の小さい伝熱管からフィンの下流端部までの第２距離は、直径の大きい伝熱管からフィンの下流端部までの第２距離よりも大きくなってしまい、死水域がより生じてしまう。しかし、本実施形態に係る熱交換器３によると、下流側伝熱管群５２における各伝熱管５２ａは、直径が小さい程その中心がフィン４の下流端部４３側に寄るように配置されている。従って、フィン４に占める死水域の割合を減らすことができ、更に熱交換率を向上させることができる。
【００９０】
（Ｃ）
また、一般的に、死水域は、空気流の速度が早い程大きくなり、フィンへの熱伝達は悪化する。しかし、本実施形態に係る熱交換器３によると、例えば図５に示すように、空気流Ｗｒ１，Ｗｒ２の速度が“大”“小”であれば、下流側伝熱管群５２における第２距離ｄｉＢ３，ｄｉＢ４が順に“小”“大”となるように、下流側伝熱管群５２を構成する伝熱管５２ａが配置される。つまり、空気流Ｗｒ１，・・・の速度が大きい程、下流側伝熱管群５２の伝熱管５２ａは、よりフィン４の下流端部４３に近づけられる。これにより、空気流Ｗｒ１，・・・の速度が大きくても、フィン４への熱伝達が最適化されるため、熱交換効率が向上する。
【００９１】
（Ｄ）
また、本実施形態に係る室内機１は、上述した熱交換器３を備えている。つまり、室内機１は、少なくとも下流側伝熱管群５２における伝熱管５２ａがフィン４の下流端部４３側寄りとなっている熱交換器３を備えている。従って、室内機１は、フィン幅の寸法を変更することなく性能が向上された熱交換器３によって熱交換された後の空気を、室内に供給することができる。
【００９２】
（Ｅ）
また、本実施形態に係る室内機１によると、例えば図６に係る具体例に示すように、ドレンパン８がドレン水を受け取ることが可能な空間範囲Ｓｑ１内に位置している前方側熱交換器３１の第１部分３１ｃにおいては、上流側伝熱管群５１における第１距離ｄｉＡ１１が下流側伝熱管群５２における第２距離ｄｉＢ１１よりも大きくなるように（ｄｉＡ１１＞ｄｉＢ１１）、伝熱管５１ａ，５２ａが配置されている。すると、前方側熱交換器３１の第１部分３１ｃにおいては、下流側伝熱管群５２における第２距離ｄｉＢ１１が上流側伝熱管群５１における第１距離ｄｉＡ１１よりも小さいために、ドレン水が落下し易くなるおそれがあるが、落下したドレン水はドレンパン８によって受け止められる。従って、ドレン水に関する問題が生じることなく、熱交換器３の性能を向上することができる。
【００９３】
（Ｆ）
また、図６に係る具体例においては、前方側熱交換器３１のうち、ドレンパン８がドレン水を受けることができる空間範囲Ｓｑ１外である第２部分３１ｄの第２距離ｄｉＢ１２は、第１部分３１ｃにおける第２距離ｄｉＢ１１よりも大きい。これにより、前方側熱交換器３１の第２部分３１ｄにおいては、第１部分３１ｃよりもドレン水の滴下がしにくくなっており、また第１部分３１ｃにおいて滴下されたドレン水は、ドレンパン８によって受け止められるようになっている。
【００９４】
（Ｇ）
また、図６〜図８に示すように、前方側熱交換器３１は、湾曲状に形成されている。このような前方側熱交換器３１においても、上流側伝熱管群５１における第１距離ｄｉＡ１１，・・・が下流側伝熱管群５２における第２距離ｄｉＢ１１，・・・よりも大きくなるように、各伝熱管５１ａ，５２ａを配置することができ、室内機１は、熱交換率の向上した熱交換器３を利用することができる。
【００９５】
（Ｈ）
また、例えば図８に示すように、湾曲状に形成されている前方側熱交換器３１は、ファン９の付近に配置されているため、ファン９からの空気流Ｗｒ３１，Ｗｒ３２が通過する。しかし、前方側熱交換器３１の湾曲度合い等によって、ファン９と前方側熱交換器３１との距離は均一とはならず、前方側熱交換器３１には空気流Ｗｒ３１，Ｗｒ３２の速度が早い部分や遅い部分が生じてしまう。しかし、この室内機１では、空気流Ｗｒ３１，Ｗｒ３２の速度が大きい程第２距離ｄｉＢ３１〜ｄｉＢ３２が小さくなるように、下流側伝熱管群５２の伝熱管５２ａが配置されているため、湾曲状に形成された前方側熱交換器３１においても、フィン幅の寸法を変更することなく、熱交換器の性能を向上することができる。
【００９６】
＜その他の実施形態＞
（ａ）
上記実施形態では、図６〜図８に示すように、熱交換器が、湾曲状に形成された前方側熱交換器３１を有している場合について説明した。しかし、熱交換器は、湾曲状の熱交換器を有さず、例えば図９に示すように、少なくとも２つに分割された分割型の熱交換器であってもよい。尚、図９に係るドレンパン１０８及びファン１０９は、上記実施形態に係るドレンパン８及びファン９と同様であるため、以下では、本実施形態に係る熱交換器１０３について説明する。
【００９７】
図９に係る熱交換器１０３は、第１熱交換器１３１、第２熱交換器１３２、及び第３熱交換器１３３で構成された、分割型の熱交換器である（第２熱交換器１３２、第３熱交換器１３３は、本発明に係る「第２熱交換器」に相当）。ここで、第１熱交換器１３１及び第２熱交換器１３２は、上記実施形態に係る前方側熱交換器に対応している。第１熱交換器１３１は、ファン１０９の前方に配置され、第２熱交換器１３２は、ファン１０９の上方かつ前方、第３熱交換器１３３は、ファン１０９の上方かつ後方にそれぞれ配置されている。つまり、第１、第２及び第３熱交換器１３１〜１３３は、ファン１０９を取り囲むようにして配置されている。尚、第１熱交換器１３１、第２熱交換器１３２及び第３熱交換器１３３は、上記実施形態に係る前方側熱交換器３１及び後方側熱交換器３２と同様、上流側伝熱管群１５１及び下流側伝熱管群１５２を有する伝熱管群を有しており、上流側伝熱管群１５１は複数の伝熱管１５１ａで構成され、下流側伝熱管群１５２は複数の伝熱管群１５２ａで構成されている。
【００９８】
第１、第２及び第３熱交換器１３１〜１３３それぞれには、外側からファン１０９に向かう方向に、空気が通過する（図９の空気流Ｗｒ１０１，Ｗｒ１０２、Ｗｒ１０３）。そして、第１熱交換器１３１は、第２熱交換器１３２及び第３熱交換器１３３よりもファン１０９の近くに配置されていることから、第１熱交換器１３１を通過する空気流Ｗｒ１０１の速度は、他の空気流Ｗｒ１０２，Ｗｒ１０３に比して大きい。逆に、第２熱交換器１３２及び第３熱交換器１３３は、第１熱交換器１３１に比してファン１０９に遠い箇所に配置されていることから、第２熱交換器１３２及び第３熱交換器１３３を通過する空気流Ｗｒ１０２，Ｗｒ１０３の速度は小さい。ここで、本実施形態では、第２熱交換器１３２及び第３熱交換器１３３それぞれを通過する空気流Ｗｒ１０２，Ｗｒ１０３は、いずれも同じ速度であるとする。
【００９９】
更に、第１熱交換器１３１では、上流側伝熱管群１５１の伝熱管１５１ａよりも下流側伝熱管群１５２の伝熱管１５２ａの方が直径が大きい。第２熱交換器１３２及び第３熱交換器１３３では、上流側伝熱管群１５１の伝熱管１５１ａよりも下流側伝熱管群１５２の伝熱管１５２ａの方が直径が小さい。尚、第１熱交換器１３１の上流側伝熱管群１５１における伝熱管１５１ａの直径は、第２熱交換器１３２及び第３熱交換器１３３の各上流側伝熱管群１５１における伝熱管１５１ａの直径とほぼ同じ大きさとなっている。
【０１００】
この場合、第１熱交換器１３１、第２熱交換器１３２及び第３熱交換器１３３それぞれにおいては、上流側伝熱管群１５１における各第１距離ｄｉＡ１０１，ｄｉＡ１０２，ｄｉＡ１０３が、下流側伝熱管群１５２における各第２距離ｄｉＢ１０１，ｄｉＢ１０２，ｄｉＢ１０３よりも大きいという条件が満たされている（ｄｉＡ１０１＞ｄｉＢ１０１，ｄｉＡ１０２＞ｄｉＢ１０２，ｄｉＡ１０３＞ｄｉＢ１０３）。そして、第２熱交換器１３２及び第３熱交換器１３３の各下流側伝熱管群１５２における伝熱管１５２ａは、その中心が従来の熱交換器の下流側伝熱管群における伝熱管よりもフィンの下流端部１４３側に寄っている。しかし、本実施形態では、第１熱交換器１３１を通過する空気流Ｗｒ１０１は、第２熱交換器１３２及び第３熱交換器１３３を通過する空気流Ｗｒ１０２，Ｗｒ１０３よりも大きいことから、第１熱交換器１３１の下流側伝熱管群１５２における第２距離ｄｉＢ１０１は、第２熱交換器１３２及び第３熱交換器１３３の各下流側伝熱管群１５２における第２距離ｄｉＢ１０２，ｄｉＢ１０３よりも小さくなっている（ｄｉＢ１０１＜ｄｉＢ１０２，ｄｉＢ１０３）。
【０１０１】
尚、図９に示されるように、第２熱交換器１３２及び第３熱交換器１３３は、ファン１０９の上方に傾斜して位置しているため、ドレン水の滴下が起きやすいとも考えられる。しかしながら、図９では、第２熱交換器１３２及び第３熱交換器１３３の各第２距離ｄｉＢ１０２，ｄｉＢ１０３が第１熱交換器１３１の第２距離ｄｉＢ１０１よりも大きいため、第２熱交換器１３２及び第３熱交換器１３３のドレン水の滴下は比較的起きにくい構造となっていると言える。
【０１０２】
ここで、第２熱交換器１３２及び第３熱交換器１３３を通過する空気流Ｗｒ１０２、Ｗｒ１０３の速度は同じであることから、第２熱交換器１３２及び第３熱交換器１３３の各下流側伝熱管群１５２における第２距離ｄｉＢ１０２，ｄｉＢ１０３は、互いに等しくなっている（ｄｉＢ１０２＝ｄｉＢ１０３）。また、図９においては、第１熱交換器１３１，第２熱交換器１３２及び第３熱交換器１３３における各第１距離ｄｉＡ１０１，ｄｉＡ１０２，ｄｉＡ１０３がほぼ等しくなっているが（ｄｉＡ１０１＝ｄｉＡ１０２＝ｄｉＡ１０３）、これらの第１距離ｉＡ１０１，ｄｉＡ１０２，ｄｉＡ１０３は、各空気流Ｗｒ１０１，Ｗｒ１０２，Ｗｒ１０３の速度や伝熱管１５１ａの直径の大きさに基づいて更に異なっていても良い。例えば、各第１距離ｄｉＡ１０１，ｄｉＡ１０２，ｄｉＡ１０３が“ｄｉＡ１０１＞ｄｉＡ１０２，ｄｉＡ１０３”の条件を満たすように、各上流側伝熱管群１５１における伝熱管１５１ａが配置されていてもよい。
【０１０３】
以上のように、図９に係る熱交換器１０３は、３つに分割されており、かつ第２距離ｄｉＢ１０１〜ｄｉＢ１０３が、分割された第１熱交換器１３１〜第３熱交換器１３３全てにおいて統一されているのではなく、第１熱交換器１３１においては第２熱交換器１３２及び第３熱交換器１３３よりも小さくなっている。つまり、室内機１の内部においても、場所等によっては、熱交換空気の気流の淀みやすさが異なったりするため、本実施形態に係る熱交換器１０３では、この淀みやすさ等に応じて第２距離ｄｉＢ１０１〜ｄｉＢ１０３が適宜調整されている。従って、熱交換器１０３の性能を向上させることができる。
【０１０４】
また、上記熱交換器１０３では、第１熱交換器１３１は、第２熱交換器１３２及び第３熱交換器１３３よりもファン１０９の近くに配置されているため、第１熱交換器１３１を通過する空気流Ｗｒ１０１の速度は、第２熱交換器１３２及び第３熱交換器１３３を通過する空気流Ｗｒ１０２，Ｗｒ１０３の速度よりも大きい。しかし、第１熱交換器１３１の第２距離ｄｉＢ１０１は、第２熱交換器１３２及び第２熱交換器１３３の各第２距離ｄｉＢ１０２，ｄｉＢ１０３よりも小さいため、第１熱交換器１３１におけるフィンへの熱伝達が最適化され、第１熱交換器１３１の熱交換効率は低下せずに済む。
【０１０５】
（ｂ）
また、上記実施形態では、伝熱管５１ａ，５２ａが２列に配列されている場合について説明した。しかし、本発明の熱交換器は、伝熱管が２列に配列されている場合に限定されず、例えば図１０に示すように、伝熱管が３列に配列されている場合においても適用することができる。図１０は、伝熱管が３列に配列されている場合の熱交換器２０３の概略図である。図１０の熱交換器２０３においても、上流側伝熱管群２５１を構成する伝熱管２５１ａの第１距離ｄｉＡ２０１は、下流側伝熱管群２５２を構成する伝熱管２５２ａの第２距離ｄｉＢ２０１よりも大きく、伝熱管２５２ａは、従来の伝熱管に比してフィンの下流端部２４３側に配置されている。
【０１０６】
（ｃ）
上記実施形態では、例えば図４に示すように、伝熱管５２ａの直径が均一でない場合においては、フィン４の約上半分の部分４５における第２距離ｄｉＢ１とフィン４の約下半分の部分４６における第２距離ｄｉＢ２とが等しくなるまで（ｄｉＢ１＝ｄｉＢ２）、伝熱管５２ａがフィン４の下流端部４３寄りに配置されると説明した。しかし、第２距離ｄｉＢ１及び第２距離ｄｉＢ２は、等しくなくてもよい。本発明では、下流側伝熱管群５２が直径の異なる複数の伝熱管５２ａで構成されている場合には、各伝熱管５２ａは、直径の小さい伝熱管５２ａの中心が直径の大きい伝熱管５２ａの中心よりもフィン４の下流端部４３側となるように配置されていればよい。従って、例えば、直径の大きい伝熱管５２ａからフィン４の下流端部４３までの第２距離ｄｉＢ１が、直径の小さい伝熱管５２ａからフィン４の下流端部４３までの第２距離ｄｉＢ２よりも大きくなるように（ｄｉＢ１＞ｄｉＢ２）、各伝熱管５２ａが配置されていてもよい。
【０１０７】
（ｄ）
上記実施形態では、図１に示すように、本発明に係る空気調和装置の室内機１が壁掛けタイプである場合について説明した。しかし、本発明に係る室内機のタイプは、壁掛けタイプに限定されず、天井設置タイプや天井埋込タイプにおいても適用することができる。
【産業上の利用可能性】
【０１０８】
本発明に係る熱交換器は、フィン幅の寸法を変更することなく、熱交換器の性能を向上することができるという効果を有し、空気調和装置の室内機内部における熱交換器として適用することができる。
【符号の説明】
【０１０９】
１  室内機
２  ケーシング
３  熱交換器
４  フィン
５  伝熱管群
８  ドレンパン
９  ファン
３１  前方側熱交換器
３２，３３  後方側熱交換器
４１  フィンの平板
４２  フィンの上流端部
４３  フィンの下流端部
４７，４８  フィン部分
５１  上流側伝熱管群
５２  下流側伝熱管群
５１ａ，５２ａ  伝熱管
１３１  第１熱交換器
１３２  第２熱交換器
１３３  第３熱交換器
ｄｉＡ１，・・・  第１距離
ｄｉＢ１，・・・  第２距離
Ｗｒ１，・・・  空気流
【先行技術文献】
【特許文献】
【０１１０】
【特許文献１】特開平１１−１３２６８４号公報
【図１】
2010223558.tif 000003
【図２】
2010223558.tif 000004
【図３】
2010223558.tif 000005
【図４】
2010223558.tif 000006
【図５】
2010223558.tif 000007
【図６】
2010223558.tif 000008
【図７】
2010223558.tif 000009
【図８】
2010223558.tif 000010
【図９】
2010223558.tif 000011
【図１０】
2010223558.tif 000012